(57)【要約】【課題】バネの経時的な緩みにより、レールとランナとの間の摩擦力が低下してしまうのを抑制するファン組立体を提供する。【解決手段】本発明は、ベースと、非傾斜位置と傾斜位置との間でベースに対して相対移動可能に取り付けられる本体を備える。本体は、空気入口と、インペラと、インペラを駆動して少なくとも１つの空気入口を通って空気流を引き込むためのモータを備える。また、ファン組立体は、空気出口と、空気出口に空気を送る内部通路とを備える。ベースの上面には、ブレーキ機構と固定レールとが配置され、本体の下面には、ブレーキ機構と固定レールの間に配置されるレールが結合される。ブレーキ機構は、本体のレールを固定レールに対して付勢して、本体のレールと固定レールとの間の摩擦を用いてベースに対して本体を傾斜位置に維持するように、固定レールに向かってバネ又は他の弾性部材によって付勢される。【選択図】図９
2014020374.tif 000002
【特許請求の範囲】
【請求項１】
ファン組立体であって、
ベースと、
非傾斜位置と傾斜位置との間で前記ベースに対して移動可能に取り付けられるとともに、少なくとも１つの空気入口と、インペラと、前記インペラを駆動して前記少なくとも１つの空気入口を通って空気流を引き込むためのモータと、を含む本体と、
少なくとも１つの空気出口と、
前記少なくとも１つの空気出口に空気を送り、前記ファン組立体の外側からの空気が前記少なくとも１つの空気出口から噴出する空気によって引き込まれる開口部の周りに延びる内部通路と、
前記ベースに対して移動可能に結合されるブレーキ機構と、
前記ベースに結合される停止部材と、
前記ブレーキ機構と前記停止部材との間に配置される前記本体の一部分と、
前記本体の一部分を前記停止部材に対して付勢して、前記本体の一部分と前記停止部材との間の摩擦を用いて前記ベースに対して前記本体を傾斜位置に維持するように、前記停止部材に向かって前記ブレーキ機構を付勢するための手段と、
を備える、ファン組立体。
【請求項２】
前記ブレーキ機構は、前記ベースの上面に取り付けられる、請求項１に記載のファン組立体。
【請求項３】
前記ベースは、該ベースの上面から離れる方向の前記ブレーキ機構の移動を規制するための手段を含む、請求項２に記載のファン組立体。
【請求項４】
前記ベースの上面から離れる方向の前記ブレーキ機構の移動を規制するための手段は、前記ベースの上面に結合される複数のガイドレールを備え、前記ブレーキ機構は、前記ガイドレールに沿って摺動運動するようにトラックに固定される、請求項３に記載のファン組立体。
【請求項５】
前記停止部材は、前記ベースの上面に結合される、請求項２から４の何れかに記載のファン組立体。
【請求項６】
前記本体の一部分は、第１の側面と、該第１の側面の反対側に配置される第２の側面とを備え、前記ブレーキ機構は、前記第１の側面と係合するように構成され、前記停止部材は、前記第２の表面と係合するように構成される、請求項１から５の何れかに記載のファン組立体。
【請求項７】
前記停止部材は第１のレールを備え、前記本体の一部分は、前記第１のレールに実質的に平行に延びる第２のレールを備える、請求項１から６の何れかに記載のファン組立体。
【請求項８】
前記レールの各々は湾曲している、請求項７に記載のファン組立体。
【請求項９】
前記レールの各々は、前記ベースに対する前記本体の移動方向に平行な方向に延びる、請求項７又は請求項８に記載のファン組立体。
【請求項１０】
前記ブレーキ機構は、前記ベースに対して、前記ベースに対する前記本体の移動方向に対して実質的に直交する方向に移動可能である、請求項１から９の何れかに記載のファン組立体。
【請求項１１】
前記ブレーキ機構は、前記本体が前記非傾斜位置にある場合、前記ベースに対して、前記インペラの回転軸に対して実質的に直交する方向に移動可能である、請求項１から１０の何れかに記載のファン組立体。
【請求項１２】
前記ベースに結合される座部を備え、前記停止部材に向かって前記ブレーキを付勢するための手段は、前記座部と前記ブレーキ機構との間に配置される、請求項１から１１の何れかに記載のファン組立体。
【請求項１３】
前記本体が前記ベースに対して移動する際に、前記本体が前記非傾斜位置にあることをユーザに示すための手段を備える、請求項１から１２の何れかに記載のファン組立体。
【請求項１４】
前記本体の一部分は、該本体の下面に結合されるプレートの一部を形成する、請求項１から１３の何れかに記載のファン組立体。
【請求項１５】
前記ベースの上面は、凹面形状であり、前記本体の下面は、凸面形状である、請求項１から１４の何れかに記載のファン組立体。
【請求項１６】
前記ベース上に前記本体を保持するための複数の対の相互連結部材を備え、前記相互連結部材の各対は、前記ベース上に配置される第１の相互連結部材と、前記本体上に配置される第２の相互連結部材とを備え、前記本体は、前記第１の相互連結部材によって保持される、請求項１から１５の何れかに記載のファン組立体。
【請求項１７】
前記停止部材及び移動部材は、前記相互連結部材の対の間に配置される、請求項１６に記載のファン組立体。
【請求項１８】
ファン組立体のためのスタンドであって、該スタンドは、
ベースと、
非傾斜位置と傾斜位置との間で前記ベースに対して移動可能に取り付けられるとともに、少なくとも１つの空気入口と、インペラと、前記インペラを駆動して前記少なくとも１つの空気入口を通って空気流を引き込むためのモータと、空気出口とを含む本体と、
前記ベースに対して移動可能に結合されるブレーキ機構と、
前記ベースに結合される停止部材と、
前記ブレーキ機構と前記停止部材との間に配置される前記本体の一部分と、
前記本体の一部分を前記停止部材に対して付勢して、前記本体の一部分と前記停止部材との間の摩擦を用いて前記ベースに対して前記本体を傾斜位置に維持するように、前記停止部材に向かって前記ブレーキ機構を付勢するための手段と、
を備える、スタンド。
【請求項１９】
前記ブレーキ機構は、前記ベースの上面に取り付けられる、請求項１８に記載のスタンド。
【請求項２０】
前記ベースは、該ベースの上面から離れる方向の前記ブレーキ機構の移動を規制するための手段を含む、請求項１９に記載のスタンド。
【請求項２１】
前記ベースの上面から離れる方向の前記ブレーキ機構の移動を規制するための手段は、前記ベースの上面に結合される複数のガイドレールを備え、前記ブレーキ機構は、前記ガイドレールに沿って摺動運動するようにトラックに固定される、請求項２０に記載のスタンド。
【請求項２２】
前記停止部材は、前記ベースの上面に結合される、請求項１９から２１の何れかに記載のスタンド。
【請求項２３】
前記本体の一部分は、第１の側面と、該第１の側面の反対側に配置される第２の側面とを備え、前記ブレーキ機構は、前記第１の側面と係合するように構成され、前記停止部材は、前記第２の表面と係合するように構成される、請求項１８から２２の何れかに記載のスタンド。
【請求項２４】
前記停止部材は第１のレールを備え、前記本体の一部分は、前記第１のレールに実質的に平行に延びる第２のレールを備える、請求項１８から２３の何れかに記載のスタンド。
【請求項２５】
前記レールの各々は湾曲している、請求項２４に記載のスタンド。
【請求項２６】
前記レールの各々は、前記ベースに対する前記本体の移動方向に平行な方向に延びる、請求項２４又は請求項２５に記載のスタンド。
【請求項２７】
前記ブレーキ機構は、前記ベースに対して、前記ベースに対する前記本体の移動方向に対して実質的に直交する方向に移動可能である、請求項１８から２６の何れかに記載のスタンド。
【請求項２８】
前記ブレーキ機構は、前記本体が前記非傾斜位置にある場合、前記ベースに対して、前記インペラの回転軸に対して実質的に直交する方向に移動可能である、請求項１８から２７の何れかに記載のスタンド。
【請求項２９】
前記ベースに結合される座部を備え、前記停止部材に向かって前記ブレーキ機構を付勢するための手段は、前記座部と前記ブレーキ機構との間に配置される、請求項１８から２８の何れかに記載のスタンド。
【請求項３０】
前記本体が前記ベースに対して移動する際に、前記本体が前記非傾斜位置にあることをユーザに示すための手段を備える、請求項１８から２９の何れかに記載のスタンド。
【請求項３１】
前記本体の一部分は、該本体の下面に結合されるプレートの一部を形成する、請求項１８から３０の何れかに記載のスタンド。
【請求項３２】
前記ベースの上面は、凹面形状であり、前記本体の下面は、凸面形状である、請求項１８から３１の何れかに記載のスタンド。
【請求項３３】
前記ベース上に前記本体を保持するための複数の対の相互連結部材を備え、前記相互連結部材の各対は、前記ベース上に配置される第１の相互連結部材と、前記本体上に配置されるとともに前記第１の相互連結部材によって保持される第２の相互連結部材とを備える、１８から請求項３２の何れかに記載のスタンド。
【請求項３４】
前記停止部材及び移動部材は、前記相互連結部材の対の間に配置される、請求項３３に記載のスタンド。
【請求項３５】
請求項１８から請求項３４の何れかに記載のスタンドと、該スタンド上に取り付けられるノズルと、を備えるファン組立体であって、前記ノズルは、内部通路及び少なくとも１つの空気出口を備え、前記内部通路は、前記ファン組立体の外側からの空気が前記ノズルの前記少なくとも１つの空気出口から噴出する空気によって引き込まれる開口部の周りに延びる、ファン組立体。
【発明の詳細な説明】
【技術分野】
【０００１】
本発明は、ファン組立体及びファン組立体のためのスタンドに関する。
【背景技術】
【０００２】
従来の家庭用ファンは、典型的には、軸線の周りで回転するように取り付けられたブレードセット又はベーンセットと、ブレードのセットを回転させて空気流を発生させる駆動装置とを含む。空気流の移動及び循環が「風冷」又は微風を作り出し、結果としてユーザは、熱が対流及び蒸発により分散する際に冷却効果を体感する。
【０００３】
米国特許第５，６０９，４７３号に開示されるような一部のファンは、空気がファンから噴出される方向を調節するようにユーザに選択肢を与える。米国特許第５，６０９，４７３号では、ファンは、ベースと、該ベースのそれぞれの端部から立ち上がる１対のヨークと、を含む。ファンの外側本体は、モータ及び回転ブレードセットを収容する。外側本体は、ベースに対して枢動可能なようにヨークに固定される。ファン本体は、略垂直の非傾斜位置から傾いた傾斜位置までベースに対して揺動することができる。このようにして、ファンから噴出する空気流の方向を変更することができる。
【０００４】
国際公開第２０１０／１００４５１号には、ファン組立体から空気を放出するためにケージに入れられたブレードを使用しないファン組立体が開示される。その代わりに、ファン組立体は、一次空気流をスタンドの中に吸い込むためのモータ駆動式インペラを収容する円筒形スタンドと、該スタンドに連結され、一次空気流がファンから噴出される環状空気出口を含む環状ノズルとを含む。ノズルは、ファン組立体の局所環境の空気が空気出口から噴出する一次空気流によって引き込まれ、一次空気流を増幅する中心開口部を形成する。
【０００５】
スタンドは、ベース及び該ベースに取り付けられる本体を含む。本体は、モータ駆動式インペラを収容する。本体はベースに固定されており、それにより、本体は、ベースに対して押すか又は滑らせることによって、ベースに対して非傾斜位置から傾斜位置に移動することができるようになっている。ベースは、本体をベース上に保持する複数のＬ字形レールが取り付けられている凹面状の上面を有し、凹面状の上面は、本体が傾斜位置に移動するか又はその位置から移動する際にベースに対する摺動運動を案内するようになっている。本体は、凸面状の傾斜プレートが取り付けられる凸面状の下面を有する。傾斜プレートは、傾斜プレートがベースに固定されるとベース上のレールと相互連結する、複数のＬ字形ランナを備え、ランナのフランジは、レールの、合致する形状のフランジの下に位置するようになっている。
【０００６】
ベースは、本体を該ベース上に支持するための複数の支持部材を更に備える。各支持部材は、ボールベアリングと該ボールベアリングを支持体から離れる方向に付勢するバネとを含む。傾斜プレートは、ベアリングを収容する湾曲レースを含み、ベアリングは、本体がベースに対して傾斜する際に湾曲レース内を移動する。バネのバネ力は、本体、ノズル、及び本体の内部構成要素の自重に抗して、本体をベースから離れる方向に付勢し、結果的に、本体がレールとランナとの間の摩擦によって所望の傾斜位置に維持されるように、レール及びランナのフランジの対向面を一緒に付勢する。
【先行技術文献】
【特許文献】
【０００７】
【特許文献１】米国特許第５，６０９，４７３号
【特許文献２】国際公開第２０１０／１００４５１号
【発明の概要】
【発明が解決しようとする課題】
【０００８】
ベースに対して傾斜位置に本体を維持するための、この機構に関連する問題は、バネが形成される材料次第では、バネの経時的な緩みにより、漸次的に本体がベースにより近づく可能性があり、レールとランナとの間の摩擦力が低下してしまう。この緩みが激しい場合、本体を傾斜位置に維持する機構の機能に支障をきたす場合がある。
【課題を解決するための手段】
【０００９】
第１の態様において、本発明は、ベースと、非傾斜位置と傾斜位置との間でベースに対して相対移動可能に取り付けられ、少なくとも１つの空気入口と、インペラと、インペラを駆動して少なくとも１つの空気入口を通って空気流を引き込むためのモータとを含む本体と、少なくとも１つの空気出口と、少なくとも１つの空気出口に空気を送り、ファン組立体の外側からの空気が少なくとも１つの空気出口から噴出する空気によって引き込まれる開口部の周りに延びる内部通路と、ベースに対して相対移動可能に結合されるブレーキ機構と、ベースに結合される停止部材と、ブレーキ機構と停止部材との間に配置される本体の一部分と、本体の一部分を停止部材に対して押し付けて、本体の一部分と停止部材との間の摩擦を用いてベースに対して本体を傾斜位置に維持するように、停止部材に向かってブレーキ機構を付勢するための手段とを備える、ファン組立体を提供する。
【００１０】
従って、本発明は、国際公開第２０１０／１００４５１号のファン組立体のベースの支持部材を、ベースに結合されたブレーキ機構及び停止部材に置き換えて、本体の一部分をブレーキ機構と停止部材との間に配置するものである。好ましくは、ブレーキ機構及び停止部材は、ベースの上面上に配置される。好ましくは、ブレーキ機構は、ベースの上面に対する摺動運動のために、ベースの上面又はベースの上面に結合される特徴部に取り付けられる。停止部材は、ベースの上面から上向きに突出してもよく、これと一体であってもよい。好ましくは、本体の一部分は、本体の下面に結合される。ブレーキ機構は、本体の一部分が停止部材に対してブレーキ機構によって押し付けられるように、停止部材に向かって付勢される。本体の一部分を停止部材に対して押し付けることで、停止部材に対する本体の一部分の移動を阻止し、従ってベースに対する本体の移動を阻止するのに十分な大きさの摩擦力が発生する。ブレーキ機構は、本体及びその内部構成要素の重量を支持する必要がないので、ファン組立体の耐用年数にわたるバネの緩み度合を比較的小さくすることができ、ファン組立体の耐用年数にわたる本体とベースとの間に発生する摩擦力の変動を比較的小さくすることができる。
【００１１】
好ましくは、本体は、非傾斜位置と傾斜位置との間でベースに対して摺動可能である。これは、例えば、傾斜位置と非傾斜位置との間でベースに対して本体を押すか又は引き寄せるかによって、本体をベースに対して容易に移動可能にする。好ましい実施形態では、ブレーキ機構は、ベースに対して、ベースに対する本体の傾斜又は摺動移動方向に対して実質的に直交する方向に移動可能である。好ましくは、この方向は、本体が非傾斜位置にある場合に、インペラの回転軸に対して実質的に直交し、好ましくは、ファン組立体が水平面上に配置される場合は水平方向である。
【００１２】
１つ又はそれ以上の構成要素が、ブレーキ機構と本体の一部分との間に設けられていてもよく、これらの構成要素の１つは、本体の一部分に係合して、本体の一部分を停止部材に向けて付勢してもよい。しかしながら、好ましい実施形態では、ブレーキ機構は、本体の一部分と直接係合するように構成される。
【００１３】
好ましくは、本体の一部分は、第１の側面と該第１の側面の反対側に配置される第２の側面とを備える。好ましくは、ブレーキ機構は、第１の側面と係合するように構成され、好ましくは、停止部材は、第２の側面と係合するように構成される。好ましくは、ベースに対する本体の傾斜移動の範囲全域でブレーキ機構及び停止部材のそれぞれに係合する第１の側面及び第２の側面の一部は、傾斜移動の範囲全域で本体とベースとの間に生成される摩擦力が実質的に変動しないように、実質的に平行である。好ましくは、各側面は、実質的に移動可能部材の全長にわたって平行である。好ましい実施形態では、停止部材は、第１のレールを備え、本体の一部分は、実質的に第１のレールに対して平行に延びる第２のレールを備える。好ましくは、各レールは、ベースに対する本体の移動方向に対して平行な方向に延びる。好ましくは、第１のレールはベースの上面から立ち上がり、好ましくは、第２のレールは本体の下面から垂れ下がる。
【００１４】
好ましくは、ファン組立体は、ベースと本体との間に境界面（接合面、インターフェイス）を備え、境界面に隣接するベース及び本体の少なくとも外面は、実質的に同じ輪郭を有する。好ましくは、境界面は、湾曲した、より好ましくは波状の外周を有する。好ましくは、ベース及び本体の対向面は、合致するように湾曲している。好ましくは、ベースは、湾曲した上面を有し、好ましくは、本体は、適合するように湾曲した下面を有する。例えば、ベースの上面は、凸面形状形であってもよく、本体の下面は、凹面形状であってもよい。各レールは、好ましくは湾曲した形状、好ましくは弓状の形状である。
【００１５】
好ましい実施形態では、ベース及び本体の外面は、実質的に同じ輪郭を有する。例えば、ベース及び本体の外面の輪郭は、実質的に円形、楕円形、又は多面体とすることができる。
【００１６】
好ましくは、ブレーキ機構及びレールは、本体が非傾斜位置にあるとき、ベース及び本体の外面によって取り囲まれる。これにより、ファン組立体は整然とした一様な外観を有することができ、レールの間の摩擦を低下させる場合がある、レールの間への塵埃及びゴミの侵入を防止することができる。
【００１７】
好ましくは、ブレーキ機構は、ベースの上面に結合される。好ましくは、ベースは、該ベースの上面から離れる方向へのブレーキ機構の移動を阻止する手段を含む。これは、本体がベースに対して移動する際に、ブレーキ機構が第２のレールに加える力の方向が変化しないように、ブレーキ機構がベースの上面に対して移動しないことを保証する。好ましくは、ベースの上面から離れる方向へのブレーキ機構の移動を阻止する手段は、ベースの上面に結合される複数のガイドレールを備え、ブレーキ機構は、ガイドレールに沿った摺動運動のためにガイドレールに固定される。好ましくは、ブレーキ機構は一対のサイドアームを備え、該サイドアームの各々はそれぞれのガイドレールに上でその周りに部分的に延びる。好ましくは、ガイドレールは、第１及び第２のレールに対して直角に位置合わせされる。
【００１８】
好ましくは、ファン組立体は、ベースに結合される座部を備え、ブレーキ機構を停止部材に向かって付勢するための手段は、座部とブレーキ機構との間に配置される。好ましくは、座部は、ベースの上面に結合される。ブレーキ機構を停止部材に向かって付勢するための手段は、好ましくはバネを含むが、任意の他の弾性要素を座部とブレーキ機構との間に設けることができる。
【００１９】
好ましくは、ファン組立体は、本体がベースに対して移動する際に、ユーザに、本体が非傾斜位置にあることを指示するための手段を備える。好ましくは、指示手段は、本体が非傾斜位置に移動する際に、ベースに対して本体を移動させるのに必要とされる力の変化、より好ましくは力の低下をもたらすように配置される。例えば、本体の一部分は、凹部を含むことができ、凹部は、ブレーキ機構に対向する本体の一部分の第１の側面に配置される。好ましくは、ブレーキ機構の一部は、本体が非傾斜位置にある場合に凹部内に配置される。本体が非傾斜位置に向かって移動する際の、ブレーキ機構の凹部への移動は、ブレーキを停止部材に向かって付勢するためのバネ又は他の手段の緩みに起因する、ベースに対して本体を移動させるのに必要な力の突然の低下により、ユーザが識別できる。これにより、本体がベースに対して非傾斜位置にあることをユーザに示すことができる。
【００２０】
好ましくは、本体は、該本体の下面に結合されるプレートを含む。好ましくは、本体のレール又は各レールは、プレートの一部を形成する。好ましくは、プレートは、本体の側壁がプレートの外周を取り囲むように、本体の凹部分に結合される。
【００２１】
好ましくは、ファン組立体は、ベース上に本体を保持するための複数の対の相互連結部材を備える。好ましくは、相互連結部材の各対は、ベース上に配置される第１の相互連結部材と、本体上に配置されるとともに第１の相互連結部材によって保持される第２の相互連結部材とを備える。ブレーキ機構及びレールは、好ましくは、対の相互連結部材の間に配置される。好ましくは、相互連結部材の各々は、ベースに対する本体の移動方向に延びる湾曲フランジを含む。相互連結部材の各対のフランジは、好ましくは、実質的に同じ曲率を有する。組立時、第２の相互連結部材のフランジは、第１の相互連結部材のフランジが、本体がベースから持ち上がるのを防止するように、第１の相互連結部材のフランジの下で摺動する。本体がプレートを備える場合、第２の相互連結部材は、好ましくは、プレートの一部に結合されるか、もしくはその一部を形成する。組立時、第２の相互連結部材のフランジは、プレートが本体の下面に固定される前に第１の相互連結部材のフランジの下で摺動する。
【００２２】
好ましくは、本体は、完全な傾斜位置を越えたベースに対する本体の移動を阻止するための手段を備える。これは、第２の相互連結部材のフランジが第１の相互連結部材のフランジから分かれることも阻止する。好ましくは、移動阻止手段は、本体が完全な傾斜位置にある場合に、ベースの一部と係合する停止部材を含む。好ましい実施形態では、停止部材は、ベースの第１の相互連結部材のフランジと係合するように配置され、完全な傾斜位置を越えたベースに対する本体の移動を阻止する。停止部材は、プレートの外周を取り囲む本体の側壁の一部によってもたらされてもよい。
【００２３】
好ましくは、ベースは、ファン組立体を制御するための制御手段を備える。安全性の理由で及び使用を容易にするために、例えば、首振り、点灯、又は速度設定作動等の制御機能が傾斜作動時に起動しないように、傾斜可能な本体を避けて制御要素を配置することが有利である。
【００２４】
好ましくは、ファン組立体の内部通路及び少なくとも１つの空気出口は、本体に取り付けた又は本体に結合されたノズルによって規定される。従って、ベース及び本体は、共に、ノズルが取り付けられるスタンドを提供してもよい。少なくとも１つの空気出口は、ノズルの前端に又は前端近くに配置されてもよい。代替的に、少なくとも１つの空気出口は、ノズルの後端近くに配置されてもよい。ノズルは、単一空気出口又は複数の空気出口を備えることができる。１つの実施例では、ノズルは、開口部の周りを延びる単一の環状空気出口を備え、空気出口は円形でもよく、そうでなければノズルの前端の形状に一致する形状を有していてもよい。好ましくは、内部通路は、第１のセクション及び第２のセクションを備え、これらのセクションの各々は、内部通路に入る空気流のそれぞれの部分を受け取り、空気流の各部分を開口部の周りで反対方向に送るようになっている。内部通路の各セクションは、それぞれの空気出口を備えていてもよい。好ましくは、ノズルは、該ノズルの中心を通過する平面の周りで実質的に対称である。例えば、ノズルは、略円形、略楕円形、又は略「レーストラック（長円形）」の形状を有していてもよく、内部通路の各セクションは、ボアのそれぞれの側面上に配置される比較的直線的なセクションを備える。ノズルがレーストラック形状である場合、ノズルの各直線セクションは、それぞれの空気出口を備えていてもよい。空気出口又は各空気出口は、好ましくはスロットの形態である。好ましくは、スロットは、０．５ｍｍから５ｍｍの範囲の幅を有する。
【００２５】
第２の態様において、本発明は、ファン組立体のためのスタンドを提供し、このスタンドは、ベースと、非傾斜位置と傾斜位置との間でベースに対して相対移動可能に取り付けられるとともに、少なくとも１つの空気入口と、インペラと、インペラを駆動して前記少なくとも１つの空気入口を通って空気流を引き込むためのモータと、空気出口とを含む本体と、ベースに対して相対移動可能に結合されるブレーキ機構と、ベースに結合される停止部材と、ブレーキ機構と停止部材との間に配置される前記本体の一部分と、本体の一部分を停止部材に対して付勢して、本体の一部分と停止部材との間の摩擦を用いてベースに対して本体を傾斜位置に維持するように、停止部材に向かってブレーキ機構を付勢するための手段と、を備える。
【００２６】
本発明の第１の態様に関連して前述した特徴は、本発明の第２の態様にも同様に適用可能であり、逆もまた同じである。
【００２７】
本発明の実施形態は、添付の図面を参照して以下に例示的に説明する。
【図面の簡単な説明】
【００２８】
【図１】ファン組立体の正面斜視図である。
【図２】ファン組立体の本体及びノズルの正面断面図である。
【図３】ファン組立体の本体及びノズルの左側断面図である。
【図４】図４（ａ）は、ファン組立体のベースの左側斜視図であり、図４（ｂ）は、ファン組立体のベースの右側斜視図である。
【図５】ファン組立体の本体の底面斜視図である。
【図６】図６（ａ）は、本体の傾斜プレートの底面斜視図である。図６（ｂ）は、図６（ａ）で限定された領域Ａの拡大図である。
【図７】傾斜プレートがベースに取り付けられ、ベースに対して非傾斜位置にあるファン組立体のベースの平面図である。
【図８（ａ）】図７の線Ｙ−Ｙに沿ったベース及び傾斜平面の正面断面図である。
【図８（ｂ）】図８（ａ）で限定された領域Ｂの拡大図である。
【図９】図８（ａ）の線Ｚ−Ｚに沿った正面断面図である。
【図１０】図９に類似する図であるが、傾斜プレートがベースに対して傾斜位置にある。
【図１１】図１１（ａ）は、本体がベースに対して第１の完全傾斜位置にあるファン組立体の側面図であり、図１１（ｂ）は、本体がベースに対して非傾斜位置にあるファン組立体の側面図であり、図１１（ｃ）は、本体がベースに対して第２の完全傾斜位置にあるファン組立体の側面図である。
【発明を実施するための形態】
【００２９】
図１は、ファン組立体１０の外観図である。ファン組立体１０は本体１２を備え、該本体１２は、本体１２の外側ケーシング１６に形成された複数の開口の形態の空気入口１４を有し、一次空気流は、外部環境から空気入口１４を通って本体１２の中に吸い込まれる。ファン組立体１０から一次空気流を噴出するための空気出口２０を有する環状ノズル１８が、本体１２の上端に結合される。本体１２はベース２２上に取り付けられ、本体１２はベース２２に対して傾斜可能になっている。ベース２２は、ユーザがファン組立体１０の作動を制御することを可能にするユーザインターフェイスを備える。本実施形態では、ユーザインターフェイスは、複数のユーザ操作可能ボタン２３、２４及びユーザ操作可能ダイヤル２６を備える。
【００３０】
ノズル１８は環状形状を有する。また、図２及び図３を参照すると、ノズル１８は、環状内壁３０の周りに延びる外壁２８を備える。本実施例では、壁２８、３０の各々は、別個の構成要素から形成される。壁２８、３０の各々は、前端及び後端を有する。外壁２８の後端は、内壁３０の後端に向かって内向きに湾曲して、ノズル１８の後端を形成する。内壁３０の前端は、外壁２８の前端に向かって外向きに折り曲げられ、ノズル１８の前端を形成する。外壁２８の前端は、内壁３０の前端に配置されるスロットに挿入され、スロットに投入された接着剤を用いて内壁３０に結合される。
【００３１】
内壁３０は、軸線又は長手方向軸線Ｘの周りに延びて、ノズル１８のボア又は開口部３２を定める。ボア３２は、ノズル１８の後端からノズル１８の前端まで軸線Ｘに沿って直径が変わる略円形断面を有する。
【００３２】
内壁３０は、内壁３０の外部表面、すなわちボア３２を定める表面が、いくつかのセクションを有するように形成される。内壁３０の外部表面は、凸形後方セクション３４と、外向きに広がった裁頭円錐形状の前方セクション３６と、後方セクション３４と前方セクション３６との間に位置する円筒セクション３８とを有する。
【００３３】
外壁２８は、本体１２の開放上端に結合され且つ本体１２から一次空気流を受け取るための空気入口を提供する」開放下端を有する、ベース４０を備える。外壁２８の大部分は、略円筒形状である。外壁２８は、軸線Ｘに平行であるがこれから離間する中心軸線又は長手方向軸線Ｙの周りに延びる。言い換えると、外壁２８及び内壁３０は偏心している。本実施例では、軸線Ｘは、軸線Ｙの上に配置され、軸線Ｘ、Ｙの各々は、ファン組立体１０の中心を通って垂直に延びる平面内に配置される。
【００３４】
外壁２８の後端は、内壁３０の後端とオーバーラップするように形成され、外壁２８の内面と内壁３０の外面との間にはノズル１８の空気出口２０が定められる。空気出口２０は、軸線Ｘ上に中心があり、この軸線Ｘの周りに延びる略円形のスロットの形態である。スロットの幅は、好ましくは、軸線Ｘの周りで実質的に一定であり、０．５ｍｍから５ｍｍの範囲にある。外壁２８と内壁３０とのオーバーラップ部は実質的に平行であり、ノズル１８のコアンダ面をもたらす、内壁３０の凸形後方セクション３４上に空気を向けるように配置される。一連の角度離間したスペーサが、外壁２８及び内壁３０のオーバーラップ部の対向面の一方に設けられていてもよく、他方の対向面と係合してこれらの対向する面の間の一定の間隔を維持するようになっている。
【００３５】
外壁２８及び内壁３０は、空気出口２０に空気を送るための内部通路４２を形成する。内部通路４２は、ノズル１８のボア３２の周りに延びる。ノズル１８の壁２８、３０の偏心を考慮すると、内部通路４２の断面積はボア３２の周りで異なる。内部通路４２は、各々がボア３２の周りで反対の角度方向に延びる第１の湾曲セクション４４及び第２の湾曲セクション４６を含むと考えることができる。内部通路４２の各湾曲セクション４４、４６は、ボア３２の周りで大きさが減少する断面積を有する。
【００３６】
本体１２及びベース２２は、好ましくはプラスチック材料から形成される。本体１２及びベース２２は、好ましくは、本体１２がベース２２に対して非傾斜位置にあるとき、本体１２の外部表面がベース２２の外部表面と実質的に同一平面にあるように、実質的に同じ外径を有する。
【００３７】
本体１２は、一次空気流がファン組立体１０に入る空気入口１４を含む。本実施形態では、空気入口１４は、本体１２の外側ケーシング１６のセクションに形成される開口の列を含む。代替的に、空気入口１４は、外側ケーシング１６に形成された窓内に取り付けられる１つ又はそれ以上のグリル又はメッシュを含んでいてもよい。本体１２は、ノズル１８のベース４０に結合して、一次空気流を本体１２からノズル１８に送ることを可能にするように、（図示のように）上端で開放している。
【００３８】
本体１２はダクト５０を備え、ダクト５０は、該ダクト５０の空気入口５２を形成する第１の端部と、第１の端部の反対側に位置し、該ダクト５０の空気出口５４を形成する第２の端部とを有する。ダクト５０は、ダクト５０の長手方向軸線が本体１２の長手方向軸線と同一直線上にあり且つ空気入口５２が空気出口５４の下に位置するように、本体１２内に位置合わせされている。
【００３９】
ダクト５０は、一次空気流をファン組立体１０の本体１２に吸い込むためのインペラ５６の周りに延びる。インペラ５６は、混流インペラである。インペラ５６は、略円錐形状のハブと、該ハブに接続される複数のインペラブレードと、ハブ及びブレードを取り囲むように該ブレードに結合される略裁頭円錐形状のシュラウドとを備える。ブレードは、好ましくはハブと一体化され、好ましくはプラスチック材料から形成される。
【００４０】
インペラ５６は、該インペラ５６を駆動するためのモータ６０から外向きに延びる回転シャフト５８に結合され、回転軸線Ｚの周りで回転する。回転軸線Ｚは、ダクト５０の長手方向軸線と同一直線上にあり、軸線Ｘ、Ｙに対して直交する。本実施形態では、モータ６０は、ダイヤル２６のユーザ操作に応答して速度変更可能なＤＣブラシレスモータである。モータ６０の最高速度は、好ましくは、５，０００ｒｐｍから１０，０００ｒｐｍの範囲にある。モータ６０は、モータハウジング内に収容される。ダクト５０の外壁は、該ダクト５０の内壁を形成するモータハウジングを取り囲む。従って、ダクト５０の壁は、ダクト５０を貫通して延びる環状空気流路を定める。モータハウジングは、モータ６０を支持する下側部分６２と、該下側部分６２に結合される上側部分６４とを含む。シャフト５８は、モータハウジングの下側部分６２に形成された開口を貫通して突出し、これにより、インペラ５６がシャフト５８に結合可能になる。
【００４１】
モータ６０は、上側部分６８が下側部分６６に結合される前に、モータハウジングの下側部分６６に挿入される。
【００４２】
モータハウジングの下側部分６２は、略裁頭円錐形状であり、ダクト５０の空気入口５２に向かって延びる方向に内向きにテーパ付けされる。インペラ５６のハブは、モータハウジングの下側部分６２の外面の隣接部に類似した形状の円錐形状の内面を有する。
【００４３】
モータハウジングの上側部分６４は、略裁頭円錐形状であり、ダクト５０の空気出口５４に向かって内向きにテーパ付けされる。環状ディフューザ６６が、ダクト５０の外壁とモータハウジングの上側部分６４との間に配置される。ディフューザ６６は、ダクト５０の空気出口５４に向かって空気流を案内するための複数のブレード６８を備える。また、ブレード６８の形状は、空気流がディフューザ６６を通過すると真っ直ぐに整流されるような形状である。電力をモータ６０に伝送するためのケーブルが、ダクト５０の外壁、ディフューザ６６、及びモータハウジングの上側部分６４を通る。モータハウジングの上側部分６４には孔が開けられており、モータハウジングの上側部分６４の内面は、雑音吸収材料７０、好ましくは音響発泡材で裏打ちされて、ファン組立体１０の作動時に発生する広帯域雑音を抑制するようになっている。
【００４４】
インペラハウジング６８は、本体１２内に配置される環状座部７２上に取り付けられる。座部７２は、該座部７２の上面がインペラ５６の回転軸線Ｚに対して実質的に直交するように、外側ケーシング１６の内面から半径方向内向きに延びる。環状シール７４が、インペラハウジング６８と座部７２との間に配置される。環状シール７４は、好ましくは発泡環状シールであり、好ましくは独立気泡発泡材料から形成される。環状シール７４は、座部７２の上面とシール係合状態にある下面と、インペラハウジング６８とシール係合状態である上面とを有する。また、複数の弾性支持体が、ダクト５０、インペラ５６、モータ６０、及びモータハウジングの重量の一部を支持するために、インペラハウジング６８と座部７２との間に設けられる。弾性支持体は、本体１２の長手方向軸線から均等に離間し、その周りで均等に離間する。座部７２は、モータ６０に至るケーブル（図示せず）が通る開口を含む。環状シール７４は、ケーブルの一部を収容する凹部を形成するように成形される。１つ又はそれ以上のグロメット又は他のシール部材が、開口を通る空気の漏出を防止するためにケーブルの周りに設けられてもよく、また外側ケーシング１６の凹部と内面との間に設けられてもよい。
【００４５】
ガイド部材７６が、ダクト５０の空気入口５２に向かって本体１２に入る空気流を案内するために、入口セクション６６及びインペラハウジング６８の下端の周りに設けられる。ガイド部材７６は、略裁頭円錐形状であり、本体１２のベース５６に向かって内向きにテーパ付けされる。ガイド部材７６の一部は、本体１２の空気入口１４とダクト５０の空気入口５２との間に曲がりくねった空気流路を形成するので、ダクト５０の空気入口５２から本体１２の空気入口１４に向かって雑音が通る任意の直接的な経路を遮蔽するように機能する。ガイド部材７６は、インペラハウジング６８の周りに延びる環状リブから垂れ下がる。リブの外周は、例えば、接着剤を用いて本体１２の内面に結合することができる。本体１２を通過する空気流に曝されるガイド部材７６の外面は、吸音材料７８で裏打ちされる。
【００４６】
本体１２は、ダクト５０の空気入口５２の下に配置される雑音抑制キャビティ８０を備える。また、キャビティ８０は、インペラ５６の回転音の波長に合わせて調整される。キャビティ８０は、ダクト５０の空気入口５２の下に配置され且つ好ましくはダクト５０の空気入口５２と同心の入口８２を有する。キャビティ８０の下壁が、本体１２の外側ケーシング１６の湾曲ベース８４によって規定される。キャビティ８０の入口８２及び上壁は、ベース８４の上側周辺部に結合される環状プレート８６によって規定される。
【００４７】
ファン組立体１０から噴出する広帯域雑音のレベルを低減するために、環状吸音材料８８が、好ましくは、ダクト５０とキャビティ８０との間に配置される。環状吸音材料８８は、キャビティ８０の入口８２と同心であり、外側ケーシング１６の内面と接触する外周を有する。外側ケーシング１６の内面は、部分的に吸音材料で裏打ちされる。例えば、吸音材料９０のシートを空気入口１４の直ぐ下流に配置して、本体１２の空気入口１４を通って放出される広帯域雑音のレベルを低下させることができる。
【００４８】
前述のように、本体１２は、ベース２２上に取り付けられる。図４（ａ）及び図４（ｂ）を参照すると、ベース２２は、下側ベース部材１０２上に取り付けられた上側ベース部材１００を備える。上側ベース部材１００は、前述のユーザインターフェイスと、該ユーザインターフェイスの操作に応答してファン組立体１０の種々の機能を制御するための制御回路とを備える。また、上側ベース部材１００は、下側ベース部材１０２に対して上側ベース部材１００を首振りさせるための機構を収容する。首振り機構は、全体が図８ａの符号１０４で特定される。首振り機構１０４の作動は、ユーザインターフェイスのボタン２４のユーザの押圧に応答して制御回路によって制御される。下側ベース部材１０２に対する上側ベース部材１００の各首振り周期の範囲は、好ましくは６０°から１２０°であり、首振り機構は、毎分約３から５の首振り周期を実行するように構成される。ファン組立体１０に電力を供給するための主電力ケーブル（図示せず）は、下側ベース部材１０２に形成された開口を貫通して延びる。
【００４９】
本体１２は、図１１（ａ）に示す第１の完全傾斜位置と、図１１（ｃ）に示す第２の完全傾斜位置との間でベース２２に対して可動であるように、ベース２２上に取り付けられる。軸線Ｘ、Ｙは、好ましくは、主本体が、図１１（ｂ）に示す非傾斜位置から２つの完全傾斜位置のうちの一方に動く際に約１０°の角度で傾斜する。本体１２及び上側ベース部材１００の外面は、本体１２が非傾斜位置にあるとき、外面の隣接部分が実質的に面一になるように成形される。
【００５０】
本体１２は、該本体１２が傾斜位置へ又はそこから移動する際にベース２２に対して摺動可能であるようにベース２２に取り付けられる。再度、図４（ａ）及び図４（ｂ）を参照すると、上側ベース部材１００は、湾曲上面１０６を備える。湾曲上面１０６は、凹面形状であり、略鞍状形状と説明することができる。開口１０８が、モータ６０と制御回路との間に延びる電気ケーブルを受け入れるために上面１０６に形成される。
【００５１】
上側ベース部材１００は複数の第１の相互連結部材を備え、該第１の相互連結部材の各々は、本体１２上に配置されるそれぞれの第２の相互連結部材と協働して、本体１２を上側ベース部材１００上に保持するようになっている。また、第１の相互連結部材は、本体１２が傾斜位置へ又はそこから移動する際に上側ベース部材１００に対する本体１２の捩れ又は回転が実質的に生じないように、上側ベース部材１００に対する本体１２の移動を案内するように機能する。第１の相互連結部材の各々は、ベース２２に対する本体１２の移動方向に延びる。本実施形態では、上側ベース部材１００は、比較的短い２つの外側相互連結部材１１０と、外側相互連結部材１１０の間に配置される１つの比較的長い内側相互連結部材１１２とを含む。外側相互連結部材１１０の各々は逆Ｌ字形態の断面を有する。外側相互連結部材１１０の各々は、上側ベース部材１００の上面１０６に結合されてそこから直立する壁１１４と、該壁１１４の上端に結合されて直交する湾曲フランジ１１６とを備える。また、内側相互連結部材１１２は逆Ｌ字形態の断面を有する。内側相互連結部材１１２は、上側ベース部材１００の上面１０６に結合されてそこから直立する壁１１８と、該壁１１８の上端に結合されて直交する湾曲フランジ１２０とを備える。
【００５２】
本体１２は、環状の下端１２２を有する実質的に円筒形状の外側ケーシング１６と、該外側ケーシング１６の下端１２２から離間して凹部を定める湾曲ベース８４とを備える。ベース８４の下面は凸面形状であり、全体として逆鞍状形状と説明することができる。ベース８４には開口１２４が形成されており、ケーブルが本体１２の中に延びることが可能になる。
【００５３】
図５に示すように、凸面状傾斜プレート１２６が、外側ケーシング１６のベース８４に結合される。傾斜プレート１２６は凹部内に配置され、ケーシング１６が傾斜プレート１２６の外周を取り囲むようになっている。傾斜プレート１２６は、ベース８４の曲率と実質的に同じ曲率を有する。傾斜プレート１２６は、凸面状下面１２８を有する。傾斜プレート１２６は、図６（ａ）及び図６（ｂ）では外側ケーシング１６とは独立して示されている。傾斜プレート１２６は複数の第２の相互連結部材を備え、該第２の相互連結部材の各々は、上側ベース部材１００のそれぞれの第１の相互連結部材によって保持され、本体１２をベース２２に結合するようになっている。傾斜プレート１２６は、該傾斜プレート１２６の複数の湾曲レールを形成する複数の平行な溝を備える。溝は、一対の外側レール１２８と、第１の内側レール１３０とを定め、これらのレール１２８、１３０は、本体１２の第２の相互連結部材をもたらす。外側レール１２８の各々はフランジ１３２を備え、該フランジ１３２は、傾斜プレート１２６のそれぞれの溝内に延び、上側ベース部材１００のフランジ１１６の曲率と実質的に同じ曲率を有する。また、第１の内側レール１３０はフランジ１３４を備え、該フランジ１３４は、傾斜プレート１２６のそれぞれの溝内に延び、上側ベース部材１００のフランジ１２０の曲率と実質的に同じ曲率を有する。開口（図示せず）が、ケーブルが傾斜プレート１２６を貫通することを可能にするように第１の内側レール１３０に形成される。傾斜プレート１２６の下面１２８は、ベース２２に対する本体１２の傾斜移動方向に延び且つ傾斜プレート１２６がベース２２上で摺動する場合に上側ベース部材１００の上面１０６と係合する、複数の平行な隆起部１３６を備える。これは、傾斜プレート１２６の下面１２８と上側ベース部材１００の上面１０６との間の接触面積を減少させるので、本体１２がベース２２に対して傾斜する際に、傾斜プレート１２６の下面１２８と上側ベース部材１００の上面１０６との間の摩擦力を低下させる。
【００５４】
本体１２を上側ベース部材１００に結合するために、傾斜プレート１２６を、図６（ａ）に示す方向から反転させる。本体１２の外側ケーシング１６の開口１２４を貫通して延びるケーブルを、傾斜プレート１２６の開口及び上側ベース部材１００をそれぞれ通してベース２２内の制御回路へ接続する。次に、傾斜プレート１２６を、上側ベース部材１００上で摺動させて、各外側レール１２８のフランジ１３２が上側ベース部材１００のそれぞれのフランジ１１６の下に配置され、第１の内側レール１３０のフランジ１３４が上側ベース部材１００のフランジ１２０の下に配置されるようにする。図７は、傾斜プレート１２６がベース２２上を完全に摺動した場合のベース２２の外観図である。
【００５５】
傾斜プレート１２６を上側ベース部材１００の中心に配置して、傾斜プレート１２６が本体１２の外側ケーシングの凹部内に収容されるように、本体１２を傾斜プレート１２６上に下ろす。次に、上側ベース部材１００及び本体１２を反転して、本体１２をベース２２に対して傾斜させて、傾斜プレート１２６上に配置された複数の第１の開口１４０が見えるようにする。開口１４０の各々を、本体１２の外側ケーシング１６のベース８４上のそれぞれの管状突起部１４１（そのうちの１つは、図３に示されている）と位置合わせする。セルフタッピングねじを、各々の開口１４０から下部の突起部１４１にねじ込み、結果的に、部分的に傾斜プレート１２６を本体１２に結合する。次に、本体１２を逆方向に傾斜させて、傾斜プレート１２６上に配置された複数の第２の開口１４２が見えるようにする。同様に、開口１４２の各々を、本体１２の外側ケーシング１６のベース８４上の管状突起部１４３（そのうちの１つは、図３に示されている）と位置合わせする。セルフタッピングねじを、各々の開口１４２から下部の突起部１４３にねじ込み、本体１２の傾斜プレート１２６の結合を完了する。本体１２をベース２２に対して傾斜させる際に、ベース２２のフランジ１１６、１２０の各々と、傾斜プレート１２６が配置される凹部を形成する外壁１６の内壁のそれぞれの部分との間の係合は、傾斜プレート１２６がベース２２から外れて摺動するのを防止する。
【００５６】
ファン組立体１０は、ベース２２に対して本体１２を所望の傾斜位置に保持するための機構を含む。この機構は、図４（ａ）、図４（ｂ）、及び図６（ａ）から図１０を参照して以下に説明される。
【００５７】
最初に図４（ａ）及び図４（ｂ）を参照すると、上側ベース部材１００は、該上側ベース部材１００に対して移動可能なブレーキ機構１５０を含む。ブレーキ機構１５０は、一対のサイドアーム１５２を備え、該サイドアーム１５２の各々は、上側ベース部材１００上に形成されたそれぞれのガイドレール１５４の上でその周りに部分的に延びる。ガイドレール１５４は平行であり、壁１１４、１１８、及び本体１２がベース２２に対して移動する方向の両方に直交する方向に延びる。ブレーキ機構１５０は、ガイドレール１５４にスナップ式に固定され、ブレーキ機構１５０は、ガイドレール１５４に平行な方向で該ガイドレール１５４に沿って移動することができる。ブレーキ機構１５０は、複数のブレーキパッド１５６を備える。パッド１５６は、ブレーキ機構１５０に固定されていてもよく、又はブレーキ機構１５０と一体であってもよい。パッド１５６は、停止部材１６０の側面１５８に対向するブレーキ機構１５０の表面に配置される。本実施形態では、停止部材１６０は、上側ベース部材１００の上面１０６に結合され、好ましくは上面１０６と一体のレールの形態である。停止部材は、上側ベース部材１００の壁１１４、１１８に対して平行な方向に延びる。ブレーキ機構１５０は、バネ１６２又は他の弾性要素によって停止部材１６０に向かって付勢される。バネ１６２は、ブレーキ機構１５０と座部１６４との間に配置され、該座部１６４は、上側ベース部材１００の上面１０６に結合され、好ましくは上面１０６と一体になっている。
【００５８】
図８（ａ）、図８（ｂ）、並びに図９及び図１０を参照すると、傾斜プレート１２６が上側ベース部材１００上を摺動すると、傾斜プレート１２６の一部は、ブレーキ機構１５０と停止部材１６０との間を摺動する。本実施形態では、傾斜プレート１２６の第２の内側レール１６６は、ブレーキ機構１５０と停止部材１６０との間で摺動する。また、第２の内側レール１６６は、ベース２２に対する本体１２の傾斜移動方向に延び、第１の側面１６８と、該第１の側面１６８に平行な第２の側面１７０とを有する。ブレーキ機構１５０のパッド１５６は、第２の内側レール１６６の第１の側面１６８と係合し、これにより第２の側面１７０は停止部材１６０の側面１５８に押し付けられる。図１０は、本体１２がベース２２に対して傾斜位置にある場合のベース２２と傾斜プレート１２６の相対位置を示す。バネ１６２のバネ定数は、停止部材１６０の側面１５８と第２の内側レール１６６の第２の側面１７０との間に生じる摩擦力が、ブレーキ機構１５０がバネ１６２の力の下でこれらの表面を押し付ける場合に、本体１２と、該本体１２に結合されるノズル１８の重量の作用に逆らってベース２２に対する傾斜位置に本体１２を保持するのに十分であるように選択される。
【００５９】
図６（ａ）及び図６（ｂ）に戻ると、凹部１７２が、第２の内側レール１６６の第１の側面１６８に設けられる。凹部１７２は、ブレーキ機構１５０のブレーキパッド１５６の少なくとも一部を収容するように成形される。図１０に示されている、傾斜プレート１２６、従って本体１２のベース２２に対する傾斜位置において、ブレーキパッド１５６は、凹部１７２から離間している。傾斜プレート１２６、従って本体１２が図９に示されている非傾斜位置に向かって移動すると、ブレーキパッド１５６は、第２の内側レール１６６の第１の側面１６８に沿って摺動する。ブレーキパッド１５６が凹部１７２に入ると、ベース２２に対して本体１２を移動させるのに必要な力の低下により、ユーザは、本体１２が非傾斜位置に移動したことを識別できる。
【００６０】
ファン組立体１０を作動させるために、ユーザはユーザインターフェイスのボタン２３を押圧し、これに応答してベース２２の制御回路は、モータ６０を作動させてインペラ５６を回転させる。インペラ５６の回転により、空気入口１４を通って一次空気流が本体１２に吸い込まれる。ユーザは、ダイヤル２６を操作することによって、モータ６０の速度、従って空気入口１４を通って本体１２中に空気を吸い込む速度を制御することができる。インペラ５６の回転により、一次空気流は空気入口１４を通って本体１２に入り、ダクト５０の空気入口５２に送られる。空気流は、ダクト５０を通り、ダクト５０の空気出口５４の成形周辺面によってノズル１８の内部通路４２に案内される。内部通路４２内で、一次空気流は、ノズル１８のボア３２の周りで、内部通路４２のそれぞれのセクション４４、４６内で反対方向に移動する２つの空気流に分けられる。空気流が内部通路４２を通過すると、空気は、空気出口２０を通って噴出される。空気出口２０からの一次空気流の噴出は、外部環境から、特にノズル１８の周囲の領域からの空気を同伴することにより、二次空気流を発生させる。二次空気流は、一次空気流と合体して、ノズル１８から前方に噴出される合体空気流又は総体空気流、又は空気の流れを生成する。
【符号の説明】
【００６１】
１００  上側ベース部材
１１４、１１８  壁
１１６、１３４  フランジ
１５０  ブレーキ機構
１５２  サイドアーム
１５４  ガイドレール
１５８、１６８  側面
１６０  停止部材
１６２  バネ
１６４  座部
１６６  第２の内側レール
【図１】
2014020374.tif 000003
【図２】
2014020374.tif 000004
【図３】
2014020374.tif 000005
【図４】
2014020374.tif 000006
【図５】
2014020374.tif 000007
【図６】
2014020374.tif 000008
【図７】
2014020374.tif 000009
【図８（ａ）】
2014020374.tif 000010
【図８（ｂ）】
2014020374.tif 000011
【図９】
2014020374.tif 000012
【図１０】
2014020374.tif 000013
【図１１】
2014020374.tif 000014